(57)【要約】【課題】簡易な構成で、電子カセッテにおいて、撮影装置から直接データを受け取ることができるようにする。【解決手段】撮影装置３２において、信号変調部１３８によって、管電圧、放射線のｍＡｓ値、及び放射線の質を示す送信信号を音波信号に変調し、変調された音波信号に応じてスピーカ１４２から音波を出力する。電子カセッテ３２において、音入力部９５によって、撮影装置３２から出力された音波が入力され、信号復調部９９によって、入力された音波を、撮影装置３２からの送信信号に復調する。カセッテ制御部９２によって、復調された送信信号が示す管電圧、放射線のｍＡｓ値、及び放射線の質に応じて、信号処理部８２のゲインを設定する。【選択図】図４
2010051477.tif 000002
【特許請求の範囲】
【請求項１】
放射線を照射する放射線照射源を備えた撮影装置の前記放射線照射源から照射された放射線量に応じた電荷を蓄積することにより、放射線画像を示す画像情報を生成する電子回路と、
前記撮影装置から出力された音波が入力される音入力手段と、
前記音入力手段によって入力された音波を、前記撮影装置からの送信情報に復調する復調手段と、
前記復調手段によって復調された前記送信情報に応じて、前記画像情報を生成するように前記電子回路を制御する制御手段と、
を含む可搬型放射線画像形成装置。
【請求項２】
放射線を照射する放射線照射源を備えた撮影装置の前記放射線照射源から照射された放射線量に応じた電荷を蓄積することにより、放射線画像を示す画像情報を生成する電子回路と、
前記撮影装置から出力された音波が入力される音入力手段と、
前記音入力手段によって入力された音波を、前記撮影装置からの送信情報に復調する復調手段と、
前記電子回路によって生成された前記画像情報と共に、前記復調手段によって復調された前記送信情報を出力する出力手段と、
を含む可搬型放射線画像形成装置。
【請求項３】
請求項１又は２記載の可搬型放射線画像形成装置と、
放射線を照射する放射線照射源、
前記照射される放射線又は前記放射線の照射に関する送信情報を音波信号に変調する変調手段、及び
前記変調手段によって変調された音波信号に応じて音波を出力する音出力手段
を含む撮影装置と、
を含む放射線撮影システム。
【請求項４】
前記変調手段は、前記送信情報を周波数変調又はパルス変調することにより、音波信号に変調する請求項３記載の放射線撮影システム。
【請求項５】
前記送信情報を、前記放射線の照射タイミングを示す情報とした請求項３又は４記載の放射線撮影システム。
【請求項６】
前記送信情報を、前記放射線照射源の管電圧、前記照射される放射線の量、及び前記照射される放射線の質の少なくとも１つを示す情報とした請求項３又は４記載の放射線撮影システム。
【請求項７】
前記電子回路は、前記蓄積した電荷を所定のゲインで増幅する増幅回路を備え、前記増幅回路によって増幅された電荷に応じた前記画像情報を生成し、
前記制御手段は、前記送信情報に応じて、前記増幅回路のゲインを設定する請求項６記載の放射線撮影システム。
【請求項８】
前記音出力手段は、前記放射線照射源による放射線の照射が開始される前に、前記変調手段によって変調された音波信号に応じて音波を出力する請求項３〜請求項７の何れか１項記載の放射線撮影システム。
【請求項９】
前記可搬型放射線画像形成装置は、外部と制御情報を送受信するための無線通信手段を更に含む請求項３〜請求項８の何れか１項記載の放射線撮影システム。
【発明の詳細な説明】
【技術分野】
【０００１】
本発明は、可搬型放射線画像形成装置及び放射線撮影システムに関する。
【背景技術】
【０００２】
近年、ＴＦＴ（Thin Film Transistor）アクティブマトリクス基板上に放射線感応層を配置し、放射線を直接デジタルデータに変換できるＦＰＤ（Flat Panel Detector）が実用化されており、このＦＰＤ等を用いて照射された放射線により表わされる放射線画像を示す画像情報を生成し、生成した画像情報を記憶する可搬型放射線画像撮影装置（以下、「電子カセッテ」ともいう。）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
また、操作者が連携して操作できるように、電子カセッテの動作状態を、操作者に知らせる方法が知られている（例えば、特許文献１〜特許文献４）。また、電子カセッテは、放射線画像の撮影を行う際、撮影に関する制御情報などを、コンソールから受信している。
【特許文献１】特開平８−２３８２３４号公報
【特許文献２】特開２００４−１０５５１８号公報
【特許文献３】特開２００５−１３２７２号公報
【特許文献４】特開２００８−６７９３５号公報
【発明の開示】
【発明が解決しようとする課題】
【０００５】
しかしながら、上記の電子カセッテがコンソールから情報を受信する方法では、電子カセッテが、放射線を照射する撮影装置から、直接、データを受け取ることができない、という問題がある。
【０００６】
本発明は上記問題点を解決するために成されたものであり、簡易な構成で、撮影装置から直接データを受け取ることができる可搬型放射線画像形成装置及び放射線撮影システムを提供することを目的とする。
【課題を解決するための手段】
【０００７】
上記目的を達成するために、第１の発明に係る可搬型放射線画像形成装置は、放射線を照射する放射線照射源を備えた撮影装置の前記放射線照射源から照射された放射線量に応じた電荷を蓄積することにより、放射線画像を示す画像情報を生成する電子回路と、前記撮影装置から出力された音波が入力される音入力手段と、前記音入力手段によって入力された音波を、前記撮影装置からの送信情報に復調する復調手段と、前記復調手段によって復調された前記送信情報に応じて、前記画像情報を生成するように前記電子回路を制御する制御手段とを含んで構成されている。
【０００８】
第１の発明に係る可搬型放射線画像形成装置によれば、音入力手段によって、撮影装置から出力された音波が入力され、復調手段によって、音入力手段によって入力された音波を、撮影装置からの送信情報に復調する。そして、制御手段によって、復調手段によって復調された送信情報に応じて、画像情報を生成するように電子回路を制御し、電子回路によって、撮影装置の放射線照射源から照射された放射線量に応じた電荷を蓄積することにより、放射線画像を示す画像情報を生成する。
【０００９】
このように、撮影装置から出力された音波を、撮影装置からの送信情報に復調することにより、簡易な構成で、撮影装置から直接データを受け取ることができると共に、撮影装置からの送信情報に応じて、適切な画像情報を生成するように電子回路を制御することができる。
【００１０】
第２の発明に係る可搬型放射線画像形成装置は、放射線を照射する放射線照射源を備えた撮影装置の前記放射線照射源から照射された放射線量に応じた電荷を蓄積することにより、放射線画像を示す画像情報を生成する電子回路と、前記撮影装置から出力された音波が入力される音入力手段と、前記音入力手段によって入力された音波を、前記撮影装置からの送信情報に復調する復調手段と、前記電子回路によって生成された前記画像情報と共に、前記復調手段によって復調された前記送信情報を出力する出力手段とを含んで構成されている。
【００１１】
第２の発明に係る可搬型放射線画像形成装置によれば、音入力手段によって、撮影装置から出力された音波が入力され、復調手段によって、音入力手段によって入力された音波を、撮影装置からの送信情報に復調する。また、電子回路によって、撮影装置の放射線照射源から照射された放射線量に応じた電荷を蓄積することにより、放射線画像を示す画像情報を生成する。そして、出力手段によって、電子回路によって生成された画像情報と共に、復調手段によって復調された送信情報を出力する。
【００１２】
このように、撮影装置から出力された音波を、撮影装置からの送信情報に復調することにより、簡易な構成で、撮影装置から直接データを受け取ることができると共に、撮影装置からの送信情報を画像情報と一緒に出力することができる。
【００１３】
第３の発明に係る放射線撮影システムは、上記第１の発明又は第２の発明の可搬型放射線画像形成装置と、放射線を照射する放射線照射源、前記照射される放射線又は前記放射線の照射に関する送信情報を音波信号に変調する変調手段、及び前記変調手段によって変調された音波信号に応じて音波を出力する音出力手段を含む撮影装置と、を含んで構成されている。
【００１４】
第３の発明に係る放射線撮影システムによれば、撮影装置において、変調手段によって、照射される放射線又は放射線の照射に関する送信情報を音波信号に変調し、音出力手段によって、変調手段によって変調された音波信号に応じて音波を出力する。また、撮影装置において、放射線照射源によって放射線を照射する。
【００１５】
そして、可搬型放射線画像形成装置において、音入力手段によって、撮影装置から出力された音波が入力され、復調手段によって、音入力手段によって入力された音波を、撮影装置からの送信情報に復調する。
【００１６】
このように、可搬型放射線画像形成装置において、撮影装置から出力された音波を、撮影装置からの送信情報に復調することにより、簡易な構成で、可搬型放射線画像形成装置が、撮影装置から直接データを受け取ることができる。
【００１７】
上記の変調手段は、送信情報を周波数変調又はパルス変調することにより、音波信号に変調することができる。
【００１８】
上記の送信情報を、放射線の照射タイミングを示す情報とすることができる。これによって、可搬型放射線画像形成装置が、撮影装置から直接、放射線の照射タイミングを示す情報を受け取ることができるため、動作の同期をとることができる。
【００１９】
上記の送信情報を、放射線照射源の管電圧、照射される放射線の量、及び照射される放射線の質の少なくとも１つを示す情報とすることができる。これによって、撮影装置が、可搬型放射線画像形成装置から直接、管電圧、放射線の量、又は放射線の質を示す情報を受け取ることができる。
【００２０】
また、上記の、送信情報を、放射線照射源の管電圧、照射される放射線の量、及び照射される放射線の質の少なくとも１つを示す情報とした発明に係る電子回路は、蓄積した電荷を所定のゲインで増幅する増幅回路を備え、増幅回路によって増幅された電荷に応じた画像情報を生成し、制御手段は、送信情報に応じて、増幅回路のゲインを設定することができる。これによって、管電圧、放射線の量、又は放射線の質に応じて、増幅回路のゲインを適切に設定することができる。
【００２１】
上記の音出力手段は、放射線照射源による放射線の照射が開始される前に、変調手段によって変調された音波信号に応じて音波を出力することができる。
【００２２】
上記の可搬型放射線画像形成装置は、外部と制御情報を送受信するための無線通信手段を更に含むことができる。この場合、無線通信による制御情報の送受信ができない場合であっても、可搬型放射線画像形成装置が、撮影装置から直接、データを受け取ることができる。
【発明の効果】
【００２３】
本発明に係る可搬型放射線画像形成装置及び放射線撮影システムによれば、簡易な構成で、可搬型放射線画像形成装置が、撮影装置から直接データを受け取ることができる、という効果が得られる。
【発明を実施するための最良の形態】
【００２４】
以下、図面を参照して本発明を実施するための最良の形態について詳細に説明する。
【００２５】
まず、第１の実施の形態に係る放射線情報システム１０の構成について説明する。図１には、第１の実施の形態に係る放射線情報システム１０（以下、「ＲＩＳ１０」（ＲＩＳ：Radiology Information System）とも称する。）の各構成要素を示すブロック図が示されている。
【００２６】
ＲＩＳ１０は、放射線科部門内における、診療予約、診断記録等の情報管理を行うためのシステムであり、病院情報システム（ＨＩＳ：Hospital Information System）の一部を構成する。
【００２７】
ＲＩＳ１０は、複数の撮影依頼入力端末１２（以下、「入力端末１２」とも称する。）と、ＲＩＳサーバ１４と、複数の放射線画像撮影システム１８（以下、「撮影システム１８」とも称する。）と、を含んで構成されている。
【００２８】
ＲＩＳサーバ１４は、ＲＩＳ１０全体を管理するものであり、ＬＡＮ（Local Area Network）ケーブル２０又は無線ＬＡＮ２２により、各入力端末１２及び撮影システム１８と相互通信が可能に構成されている。また、ＲＩＳサーバ１４は、ＨＩＳ全体を管理するＨＩＳサーバ２４に接続されている。
【００２９】
入力端末１２は、医師２６（図２参照。）や放射線技師が、診断情報や施設予約の入力・閲覧をするためのものであり、放射線画像の撮影依頼（撮影予約）もこの入力端末１２からなされる。各入力端末１２は、表示装置付きのパーソナルコンピュータから構成され、ＲＩＳサーバ１４とＬＡＮにより接続されて相互通信が可能となっている。
【００３０】
ＲＩＳサーバ１４は、各入力端末１２からの撮影依頼を受け付け、撮影システム１８における放射線画像の撮影スケジュールを管理するものであり、データベース２８を含んで構成されている。
【００３１】
データベース２８は、患者３０（図２参照。）の属性情報（氏名、性別、生年月日、年齢、血液、患者ＩＤ等）、病歴、受診歴、過去に撮影した放射線画像等、患者３０に関する情報と、撮影システム１８の電子カセッテ３２の識別番号、型式、サイズ、感度、使用可能な撮影部位（対応可能な撮影依頼の内容）、使用開始年月日、使用回数等、電子カセッテ３２に関する情報とを含んで構成されている。
【００３２】
撮影システム１８は、ＲＩＳサーバ１４からの指示に応じて、医師２６や放射線技師の操作により放射線画像の撮影を行う。撮影システム１８は、撮影条件に従った放射線量からなる放射線Ｘを被写体に照射する撮影装置３４と、患者３０を透過した放射線Ｘを検出し、放射線画像情報に変換する放射線検出器６０（図３参照。）を内蔵する電子カセッテ３２と、放射線検出器６０によって検出された放射線Ｘに基づく放射線画像を表示する表示装置３６と、電子カセッテ３２に内蔵されるバッテリを充電するクレードル４０と、電子カセッテ３２、撮影装置３４、表示装置３６、及びクレードル４０を制御するコンソール４２と、を備える。
【００３３】
図２には、本実施の形態に係る撮影システム１８を配置した様子の一例として、撮影システム１８が撮影室としての手術室４４内に設置された様子が示されている。本実施の形態に係る撮影システム１８では、電子カセッテ３２とコンソール４２との間では、無線通信による信号の送受信が行われる。撮影装置３４及び表示装置３６の各々と、コンソール４２とをケーブルで接続して有線通信によって各種情報の送受信を行うが、図２では、各機器間を接続するケーブルを省略している。
【００３４】
図２の手術室４４では、撮影システム１８に加えて、患者３０が横臥する手術台４６が配置されると共に、医師２６が手術に使用する各種器具が載置される器具台４８が手術台４６の側部に配置される。また、手術台４６の周りには、麻酔器、吸引器、心電計、血圧計等、手術に必要な様々な機器が配置される（これらの機器は、図２では省略されている。）。
【００３５】
撮影装置３４は、自在アーム５２に連結され、患者３０の撮影部位に応じた所望の位置に移動可能であると共に、医師２６による手術の邪魔とならない位置に待避可能である。同様に、表示装置３６は、自在アーム５２に連結され、撮影された放射線画像を医師２６が容易に確認できる位置に移動可能である。
【００３６】
クレードル４０には、電子カセッテ３２を収納可能な収容部４０Ａが形成されている。
【００３７】
電子カセッテ３２は、待機時、クレードル４０の収容部４０Ａに収納され、内蔵されるバッテリが充電され、放射線画像の撮影時、クレードル４０から取り出されて患者３０の撮影部位に配置される。
【００３８】
なお、電子カセッテ３２は、手術室４４で使用される場合に限られるものではなく、例えば、検診や病院内での回診にも適用することができる。
【００３９】
図３には、第１の実施の形態に係る電子カセッテ３２の内部構成が示されている。電子カセッテ３２は、放射線Ｘを透過させる材料からなる筐体５４を備えており、防水性、密閉性を有する構造とされている。電子カセッテ３２は、手術室４４等で使用されるとき、血液やその他の雑菌が付着するおそれがある。そこで、電子カセッテ３２を防水性、密閉性を有する構造とし、必要に応じて殺菌洗浄することにより、１つの電子カセッテ３２を繰り返し使用することができる。筐体５４の内部には、放射線Ｘが照射される筐体５４の照射面５６側から、患者３０による放射線Ｘの散乱線を除去するグリッド５８、患者３０を透過した放射線Ｘを検出する放射線検出器６０、及び放射線Ｘのバック散乱線を吸収する鉛板６２が順に配設される。なお、筐体５４の照射面５６をグリッド５８として構成してもよい。
【００４０】
また、筐体５４の内部の一端側には、マイクロコンピュータを含む各種回路及び充電可能な二次電池を収容するケース３１が配置されている。放射線検出器６０及び各種回路は、ケース３１に配置された二次電池から供給される電力によって作動する。ケース３１内部に収容された各種回路が放射線Ｘの照射に伴って損傷することを回避するため、ケース３１の照射面５６側には鉛板等を配設しておくことが望ましい。
【００４１】
図４には、本実施の形態に係る放射線画像撮影システム１８の詳細な構成を示すブロック図が示されている。
【００４２】
撮影装置３４には、コンソール４２と通信を行うための接続端子３４Ａが設けられている。コンソール４２には、撮影装置３４と通信を行うための接続端子４２Ａ、及び表示装置３６へ画像信号を出力するための接続端子４２Ｂが設けられている。
【００４３】
撮影装置３４は通信ケーブル３５を介してコンソール４２に接続され、表示装置３６はディスプレイケーブル３７を介してコンソール４２に接続されている。
【００４４】
電子カセッテ３２には、無線通信を行うための送受信機３２Ａが設けられている。コンソール４２には、無線通信を行うための送受信機４２Ｃが設けられている。無線通信によって電子カセッテ３２とコンソール４２との間でデータの転送を行っている。
【００４５】
電子カセッテ３２に内蔵された放射線検出器６０は、ＴＦＴアクティブマトリクス基板６６上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器６０は、アモルファスセレンのような放射線Ｘを直接的に電荷に変換する放射線-電荷変換材料の代わりに、蛍光体材料と光電変換素子（フォトダイオード）とを用いて放射線Ｘを間接的に電荷に変換しても良い。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００４６】
また、ＴＦＴアクティブマトリクス基板６６上には、光電変換層で発生された電荷を蓄積する蓄積容量６８と、蓄積容量６８に蓄積された電荷を読み出すためのＴＦＴ７０とを備えた画素部７４（図４では個々の画素部７４に対応する光電変換層を光電変換部７２として模式的に示している）がマトリクス状に多数個配置されている。電子カセッテ３２への放射線Ｘの照射に伴って光電変換層で発生された電荷は、個々の画素部７４の蓄積容量６８に蓄積される。これにより、電子カセッテ３２に照射された放射線Ｘに担持されていた画像情報は電荷情報へ変換されて放射線検出器６０に保持される。
【００４７】
また、ＴＦＴアクティブマトリクス基板６６には、一定方向（行方向）に延設され、かつ、個々の画素部７４のＴＦＴ７０をオンオフさせるための複数本のゲート配線７６と、ゲート配線７６と直交する方向（列方向）に延設され、かつ、オンされたＴＦＴ７０を介して蓄積容量６８から蓄積電荷を読み出すための複数本のデータ配線７８が設けられている。個々のゲート配線７６はゲート線ドライバ８０に接続されており、個々のデータ配線７８は信号処理部８２に接続されている。個々の画素部７４の蓄積容量６８に電荷が蓄積されると、個々の画素部７４のＴＦＴ７０は、ゲート線ドライバ８０からゲート配線７６を介して供給される信号により行単位で順にオンされ、ＴＦＴ７０がオンされた画素部７４の蓄積容量６８に蓄積されている電荷は、電荷信号としてデータ配線７８を伝送されて信号処理部８２に入力される。従って、個々の画素部７４の蓄積容量６８に蓄積されている電荷は行単位で順に読み出される。
【００４８】
図５には、本実施の形態に係る放射線検出器６０の１画素部分に注目した等価回路図が示されている。
【００４９】
同図に示すように、ＴＦＴ７０のソースは、データ配線７８に接続されており、このデータ配線７８は、信号処理部８２に接続されている。また、ＴＦＴ７０のドレインは蓄積容量６８及び光電変換部７２に接続され、ＴＦＴ７０のゲートはゲート配線７６に接続されている。
【００５０】
信号処理部８２は、個々のデータ配線７８毎にサンプルホールド回路８４を備えている。個々のデータ配線７８を伝送された電荷信号はサンプルホールド回路８４に保持される。サンプルホールド回路８４はオペアンプ８４Ａとコンデンサ８４Ｂを含んで構成され、電荷信号をアナログ電圧に変換する。オペアンプ８４Ａは、カセッテ制御部９２によって、ゲインが設定され、設定されたゲインで電荷信号を増幅して出力する。また、サンプルホールド回路８４には、オンすることにより、コンデンサ８４Ｂの両電極をショートさせて、コンデンサ８４Ｂに蓄積された電荷を放電させるリセット回路としてスイッチ８４Ｃが設けられている。
【００５１】
サンプルホールド回路８４の出力側には、マルチプレクサ８６、Ａ／Ｄ変換器８８が順に接続されており、個々のサンプルホールド回路８４に保持された電荷信号は、アナログ電圧に変換されてマルチプレクサ８６に順に（シリアルに）入力され、Ａ／Ｄ変換器８８によってデジタルの画像情報へ変換される。
【００５２】
信号処理部８２にはフレームメモリ９０が接続されており（図４参照。）、信号処理部８２のＡ／Ｄ変換器８８から出力された画像情報はフレームメモリ９０に順に記憶される。フレームメモリ９０は、放射線画像を示す画像情報を１フレーム分記憶可能な記憶容量を有しており、１ラインずつ電荷の読み出しが行われる毎に、読み出された１ライン分の画像情報がフレームメモリ９０に順次記憶される。
【００５３】
なお、本実施の形態に係る放射線検出器６０、ゲート線ドライバ８０、信号処理部８２、及びフレームメモリ９０は、本発明の電子回路に対応している。
【００５４】
フレームメモリ９０は電子カセッテ３２全体の動作を制御するカセッテ制御部９２と接続されている。カセッテ制御部９２はマイクロコンピュータによって実現されており、通信制御部９４が接続されている。この通信制御部９４は、送受信機３２Ａに接続されており、送受信機３２Ａを介して、無線通信により外部機器との間で各種情報の伝送を制御する。カセッテ制御部９２は、通信制御部９４を介して外部機器との間で各種情報の送受信が可能とされている。カセッテ制御部９２は、コンソール４２から受信される後述する撮影制御情報を記憶し、当該情報に基づいて電荷の蓄積を行い、電荷の読み出しを開始する。
【００５５】
なお、本実施の形態に係る送受信機３２Ａ及び通信制御部９４は、本発明の出力手段に対応している。
【００５６】
また、電子カセッテ３２は、例えば、マイクによって構成され、かつ、外部からの音波が入力される音入力部９５を備えている。音入力部９５は、音入力部９５から入力された音波から、撮影装置３４の動作と同期をとるための特定周波数帯域の音波を検出する同期音検出部９７に接続されている。同期音検出部９７では、例えば、特定周波数帯域のみを通過させるフィルタを用いて、同期をとるための音波を検出する。
【００５７】
同期音検出部９７は、同期音検出部９７で検出された特定周波数帯域の音波を示す音波信号を、受信情報を示す受信信号に復調する信号復調部９９に接続されている。本実施の形態では、信号の変調方式として、周波数変調の1つであるＯＦＤＭ（Orthogonal Frequency Division Multiplexing：直交周波数多重）変調を用いており、ＯＦＤＭ変調に対応する復調方式によって、音波信号を受信信号に復調する。
【００５８】
また、同期音検出部９７及び信号復調部９９は、カセッテ制御部９２に接続されている。カセッテ制御部９２は、同期音検出部９７によって検出された同期をとるための音波と、信号復調部９９によって復調された受信信号が示す受信情報とに基づいて、放射線検出器６０の動作を制御する。
【００５９】
また、電子カセッテ３２には電源部９６が設けられており、上述した各種回路や各素子(ゲート線ドライバ８０、信号処理部８２、フレームメモリ９０、音入力部９５、及び通信制御部９４や、同期音検出部９７、信号復調部９９、カセッテ制御部９２として機能するマイクロコンピュータ)は、電源部９６から供給された電力によって作動する。電源部９６は、電子カセッテ３２の可搬性を損なわないように、バッテリ（充電可能な二次電池）を内蔵しており、充電されたバッテリから各種回路・素子へ電力を供給する。
【００６０】
一方、コンソール４２は、サーバ・コンピュータとして構成されており、操作メニューや撮影された放射線画像等を表示するディスプレイ１００と、複数のキーを含んで構成され、各種の情報や操作指示が入力される操作パネル１０２と、を備えている。
【００６１】
また、本実施の形態に係るコンソール４２は、装置全体の動作を司るＣＰＵ１０４と、制御プログラムを含む各種プログラム等が予め記憶されたＲＯＭ１０６と、各種データを一時的に記憶するＲＡＭ１０８と、各種データを記憶して保持するＨＤＤ１１０と、ディスプレイ１００への各種情報の表示を制御するディスプレイドライバ１１２と、操作パネル１０２に対する操作状態を検出する操作入力検出部１１４と、接続端子４２Ａに接続され、接続端子４２Ａ及び通信ケーブル３５を介して撮影装置３４との間で後述する曝射条件や撮影装置３４の状態情報等の各種情報の送受信を行う通信インタフェース（Ｉ／Ｆ）部１１６と、送受信機４２Ｃに接続され、送受信機４２Ｃを介して電子カセッテ３２との間で撮影制御情報や画像情報等の各種情報の送受信を行う通信制御部１１８と、接続端子４２Ｂに接続され、接続端子４２Ｂ及びディスプレイケーブル３７を介して表示装置３６に対して画像信号を出力する画像信号出力部１２０と、を備えている。
【００６２】
ＣＰＵ１０４、ＲＯＭ１０６、ＲＡＭ１０８、ＨＤＤ１１０、ディスプレイドライバ１１２、操作入力検出部１１４、通信Ｉ／Ｆ部１１６、通信制御部１１８、及び画像信号出力部１２０は、システムバスＢＵＳを介して相互に接続されている。従って、ＣＰＵ１０４は、ＲＯＭ１０６、ＲＡＭ１０８、ＨＤＤ１１０へのアクセスを行うことができると共に、ディスプレイドライバ１１２を介したディスプレイ１００への各種情報の表示の制御、通信Ｉ／Ｆ部１１６を介した撮影装置３４との各種情報の送受信の制御、通信制御部１１８を介した電子カセッテ３２との各種情報の送受信の制御、及び画像信号出力部１２０を介した表示装置３６に表示される画像の制御、を行うことができる。また、ＣＰＵ１０４は、操作入力検出部１１４を介して操作パネル１０２に対するユーザの操作状態を把握することができる。
【００６３】
一方、撮影装置３４は、放射線Ｘを出力する放射線源１３０と、コンソール４２との間で曝射条件や撮影装置３４の状態情報等の各種情報を送受信する通信Ｉ／Ｆ部１３２と、受信した曝射条件に基づいて放射線源１３０を制御する線源制御部１３４と、放射線源１３０から出力される放射線Ｘの質、放射線源１３０から出力される放射線Ｘのエネルギー量に相当するｍＡｓ値、及び放射線源１３０から放射線Ｘを出力する際の管電圧（放射線源１３０の陰極と正極との間の電圧）を含む送信情報を示す送信信号を生成する送信信号生成部１３６と、生成された送信信号をＯＦＤＭ変調により音波信号に変調する信号変調部１３８と、スピーカ１４０と、変調された音波信号に応じて音波をスピーカ１４０から出力させる音出力制御部１４２とを備えている。
【００６４】
なお、本実施の形態におけるスピーカ１４０及び音出力制御部１４２が、本発明の音出力手段に対応している。
【００６５】
信号変調部１３８は、図６に示すように、生成された送信信号をＯＦＤＭ変調により特定周波数帯域の音波信号に変調する。なお、ｍＡｓ値は、放射線源１３０から放射線Ｘを出力する際の管電流（ｍＡ）と照射時間（ｓｅｃ）とを乗算した値である。また、本実施の形態における放射線Ｘの質、放射線ＸのｍＡｓ値、及び管電圧を含む送信情報は、本発明の照射される放射線に関する送信情報に対応している。
【００６６】
音出力制御部１４２は、線源制御部１３４に接続されており、線源制御部１３４によって放射線源１３０による放射線の照射が開始される前に、変調された音波信号に応じて特定周波数帯域の音波を予告音として出力するようにスピーカ１４０を制御し、線源制御部１３４によって放射線源１３０による放射線の照射が開始されるときに、特定周波数帯域の音波を曝射音として出力するようにスピーカ１４０を制御する。
【００６７】
線源制御部１３４は、マイクロコンピュータによって実現されており、受信した曝射条件を記憶し、記憶した曝射条件に基づいて放射線源１３０から放射線Ｘを照射させる。
【００６８】
また、表示装置３６は、受信した画像信号により示される画像を表示する表示部３６Ａを備えている。
【００６９】
次に、第１の実施の形態に係るＲＩＳ１０の全体的な動作について簡単に説明する。
【００７０】
入力端末１２（図１参照。）は、医師２６又は放射線技師からの撮影依頼を受け付ける。当該撮影依頼では、電子カセッテ３２による撮影の日時及び撮影条件（撮影の部位、角度及び枚数、放射線Ｘを照射するための管電圧、管電流、及び照射時間、並びに電子カセッテ３２のサイズ及び感度等）が指定される。
【００７１】
入力端末１２は、受け付けた撮影依頼の内容をＲＩＳサーバ１４に通知する。ＲＩＳサーバ１４は、入力端末１２から通知された撮影依頼の内容をデータベース２８に記憶する。
【００７２】
コンソール４２は、ＲＩＳサーバ１４にアクセスすることにより、ＲＩＳサーバ１４から撮影依頼の内容を取得し、撮影依頼の内容をディスプレイ１００（図２及び図４参照。）に表示する。
【００７３】
医師２６や放射線技師がディスプレイ１００に表示された撮影依頼の内容に基づいて放射線画像の撮影を開始する。
【００７４】
例えば、図２に示すように、手術台４６上に横臥した患者３０の患部の放射線画像の撮影を行う場合、医師２６や放射線技師は、撮影の部位、角度に応じて手術台４６と患者３０の患部との間に電子カセッテ３２を配置すると共に、患部上方に撮影装置３４を配置する。また、医師２６や放射線技師は、患者３０の撮影部位や撮影条件に応じてコンソール４２の操作パネル１０２に対して放射線Ｘを照射する際の管電圧、管電流、照射時間等の曝射条件を指定する曝射条件指定操作を行う。医師２６や放射線技師は、撮影装置３４の曝射準備が完了すると、コンソール４２の操作パネル１０２に対して撮影を指示する撮影指示操作を行う。
【００７５】
次に、第１の実施の形態に係る撮影システム１８の動作について詳細に説明する。図７には、撮影システム１８により放射線画像を撮影する際の動作の流れを示すタイミングチャートが示されている。
【００７６】
電子カセッテ３２は、電源がオンされた状態（立ち上げた状態）では動作モードが初期状態である非動作状態（ＮＯＰ状態）となっており、コンソール４２から送受信機３２Ａを介して受信される指示情報に基づいて動作する。
【００７７】
ところで、電子カセッテ３２の内蔵された放射線検出器６０（図４参照。）は、電子カセッテ３２の電源がオン状態の場合、放射線Ｘが照射されていない状態であっても暗電流等により各蓄積容量６８に電荷が蓄積される。このため、カセッテ制御部９２は、動作モードが非動作状態の場合、信号処理部８２に対してリセットを指示する指示信号を出力している。信号処理部８２は、リセットを指示する指示信号が入力されると、スイッチ８４Ｃ（図５参照。）がオンになってコンデンサ８４Ｂの両電極をショートさせる。このようにコンデンサ８４Ｂの両電極をショートさせることによってコンデンサ８４Ｂに不要に蓄積された電荷が放出される。
【００７８】
コンソール４２は、まず、リセットモードでの動作を指示する指示情報Ｃ１を、送受信機４２Ｃを介して電子カセッテ３２へ送信する。
【００７９】
カセッテ制御部９２は、リセットモードでの動作を指示する指示情報Ｃ１を受信すると、動作モードをリセットモードへ移行し、ゲート線ドライバ８０を制御してゲート線ドライバ８０から１ラインずつ順に各ゲート配線７６にＯＮ信号を出力させて、各ゲート配線７６に接続された各ＴＦＴ３６を１ラインずつ順にＯＮさせる。これにより、１ラインずつ順に各蓄積容量６８に蓄積された電荷が電荷信号として各データ配線７８に流れ出す。カセッテ制御部９２は、動作モードがリセットモードである間、１ラインずつ順に各ゲート配線７６にＯＮ信号を出力させて各蓄積容量６８に蓄積された電荷を１フレーム分リセットするリセット動作を繰り返す。
【００８０】
コンソール４２は、操作パネル１０２に対して曝射条件指定操作が行われると、曝射条件指定操作で指定された管電圧、管電流、照射時間等の曝射条件情報Ｃ２を、通信ケーブル３５を介して撮影装置３４へ送信する。また、コンソール４２は、放射線画像の撮影の際、放射線検出器６０の各蓄積容量６８に電荷を蓄積させる蓄積時間等の撮影制御情報Ｃ３を、送受信機４２Ｃを介して電子カセッテ３２へ送信する。
【００８１】
撮影装置３４は、電源がオンされて所定の初期起動動作が完了すると、動作状態がスリープ状態となって待機している。撮影装置３４は、曝射条件情報Ｃ２を受信すると、受信した曝射条件情報を記憶すると共に、動作状態を駆動状態へ移行する。撮影装置３４は、動作状態が駆動状態に復帰すると、撮影準備完了を示す情報Ｃ４を、通信ケーブル３５を介してコンソール４２へ送信する。
【００８２】
電子カセッテ３２のカセッテ制御部９２は、撮影制御情報Ｃ３を受信すると、受信した当該撮影制御情報を記憶する。
【００８３】
コンソール４２は、撮影準備完了を示す情報Ｃ４を受信すると、撮影準備が完了したことをディスプレイ１００に表示し、操作パネル１０２に対する撮影を指示する撮影指示操作が可能となる。本実施の形態に係る撮影システム１８では、操作パネル１０２に対する撮影指示操作を２段階の操作としており、操作パネル１０２に対して１段階目の撮影指示操作の後に２段階目の撮影指示操作が行われることにより放射線画像の撮影が行われる。この２段階の撮影指示操作は、例えば、操作パネル１０２の２つのボタンを順に押下するものでもあってもよく、また、例えば、１つのボタンに対する半押、全押であってもよい。
【００８４】
コンソール４２は、操作パネル１０２に対して１段階目の撮影指示操作が行われると、曝射用意を指示する指示情報Ｃ５を、通信ケーブル３５を介して撮影装置３４へ送信する。
【００８５】
撮影装置３４は、曝射用意を指示する指示情報Ｃ５が受信されると、直前に記憶した曝射条件情報により示される管電圧、管電流での曝射が行われるように放射線源１３０のスタンバイを行う。撮影装置３４は、放射線源１３０のスタンバイが完了すると、スタンバイ完了を示す情報Ｃ６を、通信ケーブル３５を介してコンソール４２へ送信する。このとき、撮影装置３４は、送信信号生成部１３６によって、直前に記憶した曝射条件情報により示される管電圧と、管電流及び照射時間に基づくｍＡｓ値と、予め記憶されている放射線源１３０の放射線Ｘの質とを示す送信情報の送信信号を生成し、信号変調部１３８によって、送信信号を音波信号にＯＦＤＭ変調する。
【００８６】
コンソール４２は、スタンバイ完了を示す情報Ｃ６を受信すると、２段階目の撮影指示操作が可能となる。コンソール４２は、操作パネル１０２に対して２段階目の撮影指示操作が行われると、撮影を要求する指示情報Ｃ７を、通信ケーブル３５を介して撮影装置３４へ送信する。
【００８７】
撮影装置３４は、撮影を要求する指示情報Ｃ７を受信すると、スピーカ１４０から、予告音Ｃ８として、ＯＦＤＭ変調された音波信号に応じて特定周波数帯域の音波を出力する。そして、予告音Ｃ８を出力してから所定時間経過後に、撮影装置３４は、スピーカ１４０から、曝射音Ｃ９として、予告音と同じ特定周波数帯域の音波を出力すると共に、直前に記憶した曝射条件情報により示される照射時間だけ放射線源１３０から放射線Ｘを照射させる。
【００８８】
なお、上記の所定時間には、電子カセッテ３２における１フレーム分のリセット動作が完了するまでにかかる時間以上の時間が予め設定されている。
【００８９】
また、電子カセッテ３２のカセッテ制御部９２は、上記の撮影制御情報Ｃ３を受信すると、図８に示す撮影制御処理ルーチンを実現するプログラムを実行する。
【００９０】
まず、ステップ１５０において、予告音が検出されたか否かを判定する。音入力部９５及び同期音検出部９７を介して、特定周波数帯域の音波からなる予告音Ｃ８（図７参照）が検出されると、ステップ１５２へ進む。
【００９１】
ステップ１５２では、上記ステップ１５０で検出された予告音の音波を示す音波信号を、撮影装置３４からの送信情報を示す送信信号に復調し、ステップ１５４において、上記ステップ１５２で得られた送信情報に含まれる管電流、ｍＡｓ値、及び放射線Ｘの質に応じて、適切なゲインを、信号処理部８２のオペアンプ８４Ａに設定する。
【００９２】
例えば、ｍＡｓ値が大きいほど、電荷信号が飽和しないように、低いゲインを設定し、ｍＡｓ値が小さいほど、電荷信号がノイズに埋もれないように、高いゲインを設定する。また、同一ｍＡｓ値でも、管電圧で、電子カセッテの感度が変わるため（みかけのゲインが変わるため）、管電圧が高いほど、電荷信号が飽和しないように、低いゲインを設定し、管電圧が低いほど、電荷信がノイズに埋もれないように、高いゲインを設定する。
【００９３】
そして、ステップ１５６において、１フレーム分のリセット動作が完了するまでリセット動作を行い、１フレーム分のリセット動作の完了後、ステップ１５８へ移行する。
【００９４】
ステップ１５８では、曝射音を検出したか否かを判定する。音入力部９５及び同期音検出部９７を介して、特定周波数帯域の超音波からなる曝射音Ｃ９（図７参照）を検出するまで待機し、曝射音Ｃ９を検出すると、放射線源１３０からの放射線Ｘの照射が開始されたと判断し、ステップ１６０へ進む。
【００９５】
次のステップ１６０では、動作モードを撮影モードへ移行して、放射線検出器６０の各画素部７４の蓄積容量６８において、照射された放射線Ｘの線量に応じた電荷が蓄積されるように、放射線検出器６０を制御する。
【００９６】
このとき、放射線源１３０から照射された放射線Ｘは、患者３０を透過した後に電子カセッテ３２に到達する。これにより、電子カセッテ３２に内蔵された放射線検出器６０の各画素部７４の蓄積容量６８には、照射された放射線Ｘの線量に応じた電荷が蓄積される。また、カセッテ制御部９２は、直前に記憶した撮影制御情報で定められた蓄積時間だけ、放射線検出器６０の各画素部７４の蓄積容量６８における電荷の蓄積を継続すると、電荷の蓄積を終了して、ステップ１６２へ移行する。
【００９７】
ステップ１６２では、放射線検出器６０の各画素部７４の蓄積容量６８に蓄積された電荷の読み出しを、以下のように行う。ゲート線ドライバ８０を制御してゲート線ドライバ８０から１ラインずつ順に各ゲート配線７６にＯＮ信号を出力させ、各ゲート配線７６に接続された各ＴＦＴ３６を１ラインずつ順にＯＮさせる。これにより、１ラインずつ順に各蓄積容量６８に蓄積された電荷が電荷信号として各データ配線７８に流れ出す。各データ配線７８に流れ出した電荷信号は個々のサンプルホールド回路８４に入力されて、上記ステップ１５４で設定されたゲインで増幅されると共に、アナログ電圧信号に変換され、変換されたアナログ電圧信号がマルチプレクサ８６に順に（シリアルに）入力され、Ａ／Ｄ変換器８８によってデジタルの画像情報へ変換されて、フレームメモリ９０に記憶される。
【００９８】
そして、ステップ１６４において、動作モードをリセットモードへ移行し、次のステップ１６６において、フレームメモリ９０に記憶された１フレーム分の画像情報を、シリアルデータに変換して送受信機３２Ａを介してコンソール４２へ送信して、撮影制御処理ルーチンを終了する。
【００９９】
なお、本実施の形態では、カセッテ制御部９２は、上記の撮影制御処理ルーチンによって、１フレーム分の電荷の読み出しが終了すると、連続撮影を行わないものとして、動作モードをリセットモードへ移行させることとしているが、連続撮影を行うものしてもよい。
【０１００】
コンソール４２では、１フレーム分の画像情報を受信すると、１フレーム分の画像情報に対して所定の画像処理を施し、画像処理後の画像情報を患者３０の患者情報と関連付けられた状態でＨＤＤ１１０に記憶させる。また、コンソール４２は、画像処理後の放射線画像を示す画像信号を表示装置３６に対して出力して表示装置３６の表示部３６Ａに表示させる。医師２６は、表示部３６Ａに表示された放射線画像を確認しながら手術を遂行する。
【０１０１】
以上説明したように、第１の実施の形態によれば、電子カセッテにおいて、撮影装置から出力された音波を、撮影装置からの送信情報に復調することにより、簡易な構成で、電子カセッテが、撮影装置から直接データを受け取ることができる。また、電子カセッテにおいて、撮影装置からの送信情報に含まれる、管電圧、放射線のｍＡｓ値、及び放射線の質に応じて、ゲインの最適化を行うことにより、適切な画像情報を生成することができる。
【０１０２】
また、音波を利用してデータを送信することで、電子カセッテが人体の影に隠れていても、撮影装置から電子カセッテへデータを送ることができる。
【０１０３】
また、音波を同期信号として利用することで、無線通信における遅延のケアから開放されるとともに、他の無線方式で必要となる指向性へのケアが不要となるため、電子カセッテが人体の影に隠れていても、撮影装置の動作と同期して、電子カセッテを動作させることができる。
【０１０４】
なお、上記の実施の形態では、予告音や曝射音として特定周波数帯域の音波を出力する場合を例に説明したが、予告音や曝射音として、例えば、超音波を出力するようにしてもよく、また、肉声の周波数帯域とは異なる周波数帯域の音を出力するようにしてもよい。また、可聴帯域とは異なる周波数帯域の音を出力するようにしてもよい。これによって、患者などの人の声など、他の音を、同期をとるための音として誤って検出することを防止することができる。
【０１０５】
また、予告音と曝射音として、異なる周波数帯域の音波を出力するようにしてもよい。
【０１０６】
次に、第２の実施の形態について説明する。なお、第２の実施の形態に係る放射線情報システムの構成は、第１の実施の形態と同様の構成であるため、同一符号を付して説明を省略する。
【０１０７】
第２の実施の形態では、電子カセッテにおいて、音波から復調された撮影装置からの送信情報を、画像情報と共にコンソールに送信している点と、コンソールにおいて、画像情報と共に送信された送信情報を用いて、画像処理を行っている点とが、第１の実施の形態と主に異なっている。
【０１０８】
電子カセッテ３２のカセッテ制御部９２は、信号復調部９９によって復調された受信信号が示す受信情報のうち、管電圧を示す情報を、フレームメモリ９０に記憶された画像情報と共に、通信制御部９４及び送受信機３２Ａを介して、コンソール４２へ送信させる。
【０１０９】
コンソール４２は、画像情報と共に、管電圧を示す情報を受信すると、ＨＤＤ１１０に記憶された画像処理プログラムを実行して、管電圧を示す情報を用いて、画像情報に対して所定の画像処理を行う。例えば、コンソール４２は、画像情報と管電圧を示す情報との複数ペアを用いて、各管電圧での撮影によって得られた画像情報に重みを付けて差分を演算することで、画像中の骨部等の硬部組織に相当する画像部及び軟部組織に相当する画像部の一方を強調して他方を除去した画像を、エネルギーサブストラクション画像として生成する。このとき、高い管電圧を示す情報とペアになっている画像情報は、透過性の高い高エネルギーの放射線を用いて撮影された画像情報であるため、胸部などの厚い組織に相当する画像部を強調又は除去するように用いられ、低い管電圧を示す情報とペアになっている画像情報は、透過性が低い低エネルギーの放射線を用いて撮影された画像情報であるため、乳房部などの骨がない軟部組織に相当する画像部を強調又は除去するように用いられる。
【０１１０】
次に、第２の実施の形態に係る撮影制御処理ルーチンについて図９を用いて説明する。なお、第１の実施の形態と同様の処理については、同一符号を付して詳細な説明を省略する。
【０１１１】
まず、ステップ１５０において、予告音が検出されたか否かを判定し、特定周波数帯域の音波からなる予告音が検出されると、ステップ１５２へ進む。ステップ１５２では、上記ステップ１５０で検出された予告音の音波を示す音波信号を、撮影装置３４からの送信情報を示す送信信号に復調し、ステップ１５４において、送信情報に含まれる管電流、ｍＡｓ値、及び放射線Ｘの質に応じて、適切なゲインを、信号処理部８２のオペアンプ８４Ａに設定する。
【０１１２】
そして、ステップ１５６において、１フレーム分のリセット動作が完了するまでリセット動作を行い、１フレーム分のリセット動作の完了後、ステップ１５８へ移行し、曝射音を検出したか否かを判定する。特定周波数帯域の超音波からなる曝射音を検出すると、ステップ１６０へ進み、動作モードを撮影モードへ移行して、放射線検出器６０の各画素部７４の蓄積容量６８において、照射された放射線Ｘの線量に応じた電荷が蓄積されるように、放射線検出器６０を制御する。
【０１１３】
次のステップ１６２では、放射線検出器６０の各画素部７４の蓄積容量６８に蓄積された電荷の読み出しを行い、ステップ１６４において、動作モードをリセットモードへ移行し、次のステップ２００において、フレームメモリ９０に記憶された１フレーム分の画像情報を、上記ステップ１５２で得られた管電圧を示す情報と共に、シリアルデータに変換し、送受信機３２Ａを介してコンソール４２へ送信して、撮影制御処理ルーチンを終了する。
【０１１４】
上記の撮影制御処理ルーチンが、撮影毎に行われると、コンソール４２において、送受信機４２Ｃを介して、画像情報と管電圧を示す情報とが複数ペア受信される。そして、コンソール４２では、ペアとなっている管電圧を示す情報を用いて、複数の画像情報に対して所定の画像処理を施すことにより、エネルギーサブストラクション画像を生成し、生成された画像を患者３０の患者情報と関連付けられた状態でＨＤＤ１１０に記憶させる。また、コンソール４２は、生成したエネルギーサブストラクション画像を示す画像信号を表示装置３６に対して出力して表示装置３６の表示部３６Ａに表示させる。
【０１１５】
なお、第２の実施の形態に係る放射線情報システムの他の構成及び作用については、第１の実施の形態と同様であるため、説明を省略する。
【０１１６】
このように、電子カセッテにおいて、撮影装置から出力された音波を、撮影装置からの送信情報に復調することにより、簡易な構成で、電子カセッテが、撮影装置から直接データを受け取ることができる。また、電子カセッテにおいて、撮影装置からの送信情報に含まれる、管電圧を示す情報を、画像情報とペアで、コンソールへ送信することにより、コンソール側で、画像情報に対して、管電圧に応じた画像処理を行うことができる。
【０１１７】
なお、上記の第１の実施の形態〜第２の実施の形態では、放射線を照射する直前に、送信信号を変調した音波を出力する場合を例に説明したが、これに限定されるものではなく、その他のタイミングで、送信信号を変調した音波を出力するようにしてもよい。
【０１１８】
また、撮影装置において、放射線の照射に関する送信情報として、照射タイミングを示す時報を音波に変調して出力するようにしてもよい。この場合には、電子カセッテにおいて、音波を復調して得られる時報に基づいて、放射線検出器における電荷の蓄積を開始して、放射線の照射タイミングと同期させて電荷の蓄積を行うようにすることができる。
【０１１９】
また、撮影装置において、放射線源のターゲットやフィルタの種類を、音波に変調して出力するようにしてもよい。この場合には、電子カセッテにおいて、音波を復調して得られる放射線源のターゲットやフィルタの種類に基づいて、放射線検出器の設定を変えるようにしてもよい。
【０１２０】
また、管電圧、放射線のｍＡｓ値、及び放射線の質の少なくとも１つを示す送信情報を、音波信号に変調して出力するようにしてもよい。
【０１２１】
また、ＯＦＤＭ変調方式を用いて、送信信号を音波信号に変調する場合を例に説明したが、これに限定されるものではなく、他の周波数変調方式を用いて、送信信号を音波信号に変調するようにしてもよい。また、パルス変調方式を用いて、送信信号を音波信号に変調するようにしてもよい。
【０１２２】
また、撮影装置とコンソールとの間で、通信ケーブルを介して各種情報の送受信を行う場合を例に説明したが、撮影装置とコンソールとの間で、無線通信によって各種情報の送受信を行うようにしてもよい。また、撮影装置と電子カセッテとの間で、無線通信によって各種情報の送受信を行う場合を例に説明したが、撮影装置と電子カセッテとの間で、通信ケーブルを介して各種情報の送受信を行うようにしてもよい。
【図面の簡単な説明】
【０１２３】
【図１】本発明の第１の実施の形態に係る放射線情報システムの構成を示すブロック図である。
【図２】本発明の第１の実施の形態に係る放射線画像撮影システムが設置された手術室の様子を示す図である。
【図３】本発明の第１の実施の形態に係る電子カセッテの内部構成を示す斜視図である。
【図４】本発明の第１の実施の形態に係る放射線画像撮影システムの詳細な構成を示すブロック図である。
【図５】本発明の第１の実施の形態に係る放射線検出器の１画素部分に注目した等価回路図である。
【図６】ＯＦＤＭ変調された音波信号を示す図ある。
【図７】本発明の第１の実施の形態に係る放射線画像を撮影する際の動作の流れ示すタイミングチャートである。
【図８】本発明の第１の実施の形態に係る電子カセッテにおける撮影制御処理ルーチンの内容を示すフローチャートである。
【図９】本発明の第２の実施の形態に係る電子カセッテにおける撮影制御処理ルーチンの内容を示すフローチャートである。
【符号の説明】
【０１２４】
１０   放射線情報システム
１８   放射線画像撮影システム
３２Ａ 送受信機
３２  電子カセッテ
３４  撮影装置
４２   コンソール
４２Ｃ 送受信機
６０   放射線検出器
８２   信号処理部
８４Ａ  オペアンプ
９２   カセッテ制御部
９４   通信制御部
９５   音入力部
９７   同期音検出部
９９  信号復調部
１３０ 放射線源
１３４ 線源制御部
１３６  送信信号生成部
１３８  信号変調部
１４０  スピーカ
１４２  音出力制御部
【図１】
2010051477.tif 000003
【図２】
2010051477.tif 000004
【図３】
2010051477.tif 000005
【図４】
2010051477.tif 000006
【図５】
2010051477.tif 000007
【図６】
2010051477.tif 000008
【図７】
2010051477.tif 000009
【図８】
2010051477.tif 000010
【図９】
2010051477.tif 000011